(57)【特許請求の範囲】
【請求項１】
ＣＡＴＶ信号をアナログ／デジタルチューナ用信号とダウンストリームチューナ用信号とその他の信号に分配する信号分配回路において、
ＣＡＴＶ信号をスルー方向と分岐方向に分配する第１の方向性結合器と、
前記第１の方向性結合器のスルー方向の出力のうちアナログ／デジタルチューナ用信号と前記ダウンストリーム信号を通過させる第１の分波回路と、
前記第１の分波回路の出力信号に対してレベル調整を行う可変減衰器と、
前記可変減衰器から出力されるレベル調整が施された信号を増幅する第１の広帯域増幅器と、
前記第１の広帯域増幅器から出力される増幅処理が施された信号をＣＡＴＶ信号受信用のアナログ／デジタルチューナ接続用の第１の出力端子とダウンストリーム信号受信用のチューナ接続用の第２の出力端子とに分配する第１の分配器と、を備えることを特徴とする信号分配回路。
【請求項２】
ＣＡＴＶ信号をアナログ／デジタルチューナ用信号とダウンストリームチューナ用信号とその他の信号に分配する信号分配回路において、
ＣＡＴＶ信号をスルー方向と分岐方向に分配する第１の方向性結合器と、
前記第１の方向性結合器のスルー方向の出力のうち前記アナログ／デジタルチューナ用信号と前記ダウンストリーム信号を通過させる第１の分波回路と、
前記第１の分波回路の出力信号をスルー方向と分岐方向に分配する第２の方向性結合器と、
前記第２の方向性結合器のスルー方向に接続されるＣＡＴＶ信号受信用のアナログ／デジタルチューナ接続用の第１の出力端子と、
前記第２の方向性結合器の分岐方向に接続されるダウンストリーム信号受信用のチューナ接続用の第２の出力端子と、を備えることを特徴とする信号分配回路。
【請求項３】
前記第１の方向性結合器の分岐方向の出力からＶＨＦ信号及びＦＭ信号を通過させるフィルタと、
前記フィルタの出力を増幅する第２の広帯域増幅器と、
前記第２の広帯域増幅器から出力される増幅処理が施された信号をＶＨＦチューナ接続用の第３の出力端子とＦＭチューナ接続用の第４の出力端子に分配する第２の分配器と、を備えることを特徴とする請求項１または請求項２に記載の信号分配回路。
【請求項４】
アップストリーム信号が入力されるアップストリーム入力端子と、
前記アップストリーム入力端子から入力されたアップストリーム信号から不要な信号成分を除去するとともに、不要な信号成分が除去された前記アップストリーム信号を第１の方向性結合器のスルー線路の出力側へ与える第２の分波回路と、を備え、
前記第１の方向性結合器が、不要な信号成分が除去された前記アップストリーム信号を前記ＣＡＴＶ信号が入力されるＣＡＴＶ入力端子に与えることを特徴とする請求項１〜請求項３のいずれかに記載の信号分配回路。
【請求項５】
ＣＡＴＶ信号をアナログ／デジタルチューナ用信号とダウンストリームチューナ用信号とＶＨＦ信号とＦＭ信号とに分配する信号分配回路において、
ＣＡＴＶ信号のうち、アナログ／デジタルチューナ用信号とダウンストリーム信号とＶＨＦ信号とＦＭ信号とを通過させる第１の分波回路と、
前記第１の分波回路の出力信号をスルー方向と分岐方向に分配する第１の方向性結合器と、
前記第１の方向性結合器のスルー方向の出力信号をさらにスルー方向と分岐方向に分配する第２の方向性結合器と、
前記第２の方向性結合器のスルー方向に接続されるＣＡＴＶ信号受信用のアナログ／デジタルチューナ接続用の第１の出力端子と、
前記第２の方向性結合器の分岐方向に接続されるダウンストリーム信号受信用のチューナ接続用の第２の出力端子と、
前記第２の方向性結合器の分岐方向の出力からＶＨＦ信号及びＦＭ信号を通過させるフィルタと、
前記フィルタの出力を増幅する第１の広帯域増幅器と、
前記第１の広帯域増幅器から出力される増幅処理が施された信号をＶＨＦチューナ接続用の第３の出力端子とＦＭチューナ接続用の第４の出力端子に分配する第１の分配器と、を備えることを特徴とする信号分配回路。
【請求項６】
ＣＡＴＶ信号をアナログ／デジタルチューナ用信号とダウンストリームチューナ用信号とＶＨＦ信号とＦＭ信号とに分配する信号分配回路において、
ＣＡＴＶ信号のうち、アナログ／デジタルチューナ用信号とダウンストリーム信号とＶＨＦ信号とＦＭ信号とを通過させる第１の分波回路と、
前記第１の分波回路の出力信号に対してレベル調整を行う可変減衰器と、
前記可変減衰器から出力されるレベル調整が施された信号を増幅する第１の広帯域増幅器と、
前記第１の広帯域増幅器から出力される増幅処理が施された信号を２分配する第１の分配器と、
前記第１の分配器の一方の出力に接続されるＣＡＴＶ信号受信用のアナログ／デジタルチューナ接続用の第１の出力端子と、
前記第１の分配器の他方の出力に接続されて出力信号を２分配する第２の分配器と、
前記第２の分配器の一方の出力に接続されるダウンストリーム信号受信用のチューナ接続用の第２の出力端子と、
前記第２の分配器の他方の出力に接続されるとともに、与えられる信号からＶＨＦ信号及びＦＭ信号を通過させるフィルタと、
前記フィルタの出力を増幅する第２の広帯域増幅器と、
前記第２の広帯域増幅器から出力される増幅処理が施された信号をＶＨＦチューナ接続用の第３の出力端子とＦＭチューナ接続用の第４の出力端子に分配する第３の分配器と、を備えることを特徴とする信号分配回路。
【請求項７】
ＣＡＴＶ信号をアナログ／デジタルチューナ用信号とダウンストリームチューナ用信号とＶＨＦ信号とＦＭ信号とに分配する信号分配回路において、
ＣＡＴＶ信号のうち、アナログ／デジタルチューナ用信号とダウンストリーム信号とＶＨＦ信号とＦＭ信号とを通過させる第１の分波回路と、
前記第１の分波回路の出力信号に対してレベル調整を行う可変減衰器と、
前記可変減衰器から出力されるレベル調整が施された信号を増幅する第１の広帯域増幅器と、
前記第１の広帯域増幅器から出力される増幅処理が施された信号を２分配する第１の分配器と、
前記第１の分配器の一方の出力に接続されるＣＡＴＶ信号受信用のアナログ／デジタルチューナ接続用の第１の出力端子と、
前記第１の分配器の他方の出力に接続されて出力信号をスルー方向と分岐方向に分配する第１の方向性結合器と、
前記第１の方向性結合器のスルー方向に接続されるダウンストリーム信号受信用のチューナ接続用の第２の出力端子と、
前記第１の方向性結合器の分岐方向の出力からＶＨＦ信号及びＦＭ信号を通過させるフィルタと、
前記フィルタの出力を増幅する第２の広帯域増幅器と、
前記第２の広帯域増幅器から出力される増幅処理が施された信号をＶＨＦチューナ接続用の第３の出力端子とＦＭチューナ接続用の第４の出力端子に分配する第２の分配器と、を備えることを特徴とする信号分配回路。
【請求項８】
ＣＡＴＶ信号をアナログ／デジタルチューナ用信号とダウンストリームチューナ用信号とＶＨＦ信号とＦＭ信号とに分配する信号分配回路において、
ＣＡＴＶ信号のうち、アナログ／デジタルチューナ用信号とダウンストリーム信号とＶＨＦ信号とＦＭ信号とを通過させる第１の分波回路と、
前記第１の分波回路の出力信号を２分配する第１の分配器と、
前記第１の分配器の一方の出力信号に対してレベル調整を行う第１の可変減衰器と、
前記第１の可変減衰器から出力されるレベル調整が施された信号を増幅し、増幅処理が施された信号をダウンストリーム信号受信用のチューナ接続用の第２の出力端子に与える第１の広帯域増幅器と、
前記第１の分配器の他方の出力信号に対してレベル調整を行う第２の可変減衰器と、
前記第２の可変減衰器から出力されるレベル調整が施された信号を増幅する第２の広帯域増幅器と、
前記第２の広帯域増幅器から出力される増幅処理が施された信号を２分配する第２の分配器と、
前記第２の分配器の一方の出力に接続されるＣＡＴＶ信号受信用のアナログ／デジタルチューナ接続用の第１の出力端子と、
前記第２の分配器の他方の出力に接続されるとともに、与えられる信号からＶＨＦ信号及びＦＭ信号を通過させるフィルタと、
前記フィルタの出力を増幅する第３の広帯域増幅器と、
前記第３の広帯域増幅器から出力される増幅処理が施された信号をＶＨＦチューナ接続用の第３の出力端子とＦＭチューナ接続用の第４の出力端子に分配する第３の分配器と、を備えることを特徴とする信号分配回路。
【請求項９】
アップストリーム信号が入力されるアップストリーム入力端子と、
前記アップストリーム入力端子から入力されたアップストリーム信号より不要な信号成分を除去するとともに、不要な信号成分が除去された前記アップストリーム信号を前記ＣＡＴＶ信号が入力されるＣＡＴＶ入力端子に与える第２の分波回路と、を備えることを特徴とする請求項５〜請求項８のいずれかに記載の信号分配回路。
【発明の詳細な説明】
【０００１】
【発明の属する技術分野】
本発明は、有線テレビジョン放送受信用のコンバータ（以下、「ＣＡＴＶコンバータ」という）に用いられる信号分配回路に関するものである。
【０００２】
【従来の技術】
従来、ＣＡＴＶコンバータは、ケーブル伝送されてくる例えば７０〜４５０ＭＨｚの周波数帯域でチャンネル数が約６０チャンネルの有線テレビジョン放送の信号（以下、「ＣＡＴＶ信号」という）から、希望するチャンネルを選局して視聴するために各加入者のテレビジョン受像機側に取り付けられている。
【０００３】
そして、最近ではこのＣＡＴＶコンバータに留守録等のためのビデオテープレコーダや、２台目のテレビジョン受像機用のＣＡＴＶコンバータやＦＭチューナ等が接続できるようにして機能アップを図っており、そのためにビデオテープレコーダや２台目用のＣＡＴＶコンバータやＦＭチューナ等が接続される各出力端子と、この各出力端子にＣＡＴＶ信号を分配するための信号分配回路を新たに設けている。
【０００４】
具体的には、図１４に示すように構成しており、３１はケーブル伝送されてくるＣＡＴＶ信号が入力されるＣＡＴＶ入力端子、３２はこのＣＡＴＶ入力端子３１に入力されたＣＡＴＶ信号をスルー方向と分岐方向の信号に分岐する分岐器（方向性結合器）である。この分岐器３２のスルー方向の出力信号は、アナログチューナが接続されるＣＡＴＶ信号出力端子４０に供給するとともに帯域幅が７０〜７５ＭＨｚまたは７０〜１３０ＭＨｚのＢＰＦ（Band Pass Filter）３３を介し、同帯域幅のＦＳＫ（Frequency Shift Keying）信号より成るダウンストリーム信号を取り出し、ダウンストリーム信号受信用チューナが接続されるダウンストリーム信号出力端子４１に出力する。
【０００５】
上記分岐器３２の分岐方向の出力信号は例えばＰＩＮダイオードを用いたアッテネータより成る可変減衰器３４を介し、更に２段の広帯域増幅器３５及び３６を経て分配器３７に供給し、２分配される。ここで上記可変減衰器３４は制御端子（図示せず）に印加されるゲイン制御電圧によりその減衰量が制御されるようになっている。上記分配器３７で２分配された一方の出力は、バンドパスフィルタより成る分波器３８に供給され、ここでＶＨＦ信号が抽出される。このＶＨＦ信号は、ＵＨＦ信号入力端子４３より供給されバンドパスフィルタより成る分波器３９で抽出されたＵＨＦ信号とともにテレビジョン受像機のＵＨＦあるいはＶＨＦチューナが接続されるＵＨＦ／ＶＨＦ信号出力端子４２に供給される。上記分配器３７の他方の出力はＦＭ受信機を接続するＦＭ信号出力端子４４に供給される。この従来例では出力端子４４に２台目のＣＡＴＶコンバータが接続されることがある。
【０００６】
上記図１４に示す従来例はアナログＳＴＢ（Set Top Box）における信号分配回路の例であるがデジタルＳＴＢにおける信号分配回路は、後段にアナログ／デジタルチューナ及びダウンストリーム信号受信用チューナが接続されるので、この部分での信号を分配回路により２分配して使用している。
【０００７】
【発明が解決しようとする課題】
従来のアナログＳＴＢにおける信号分配回路では、ＣＡＴＶ信号を可能な限り低損失で伝送させるようにしている。この分配回路をデジタル用にするためにはアナログ／デジタルチューナ及びダウンストリーム信号受信用チューナが接続できるようにバンドパスフィルタ３３の後に更に分配器を設けて２分配し、その分配出力の一方をダウンストリーム信号出力端子４１へ与え、他方をアナログ／デジタルチューナ接続用端子（図示せず）に与えなければならない。しかしながら、分配器を設けると、ＣＡＴＶ信号に３〜４ｄＢの損失が生じ、Ｃ／Ｎ（Carrier to Noise）が劣化するという問題がある。この分配器の挿入による分配ロスを補償するには前段に設けた分岐器３２のスルー方向のロスを低減させることが必要になるが、この分岐器３２のスルー方向のロスを低減させると、分岐方向のロスが増大し、分岐方向の信号より抽出するテレビジョン受像機用信号及びＦＭ受信機用信号のＮＦ（Noise Figure）が劣化するという問題があった。
【０００８】
また、デジタルＳＴＢの信号分配回路では、視聴者側からＣＡＴＶ信号の入力端子３１よりＣＡＴＶ局であるセンターに向けて上り信号（up-stream）を送信することができるが、従来の技術ではこれに対応したものはなかった。なお、上記入力端子３１において上り信号の信号レベルは１２０ｄＢｕＶが必要である。
【０００９】
本発明の目的は受信したデジタルＣＡＴＶ信号の分配を簡単な構成で効率よく行う信号分配回路を提供することにある。
【００１０】
【課題を解決するための手段】
上記の問題を解決するため、本発明の分配回路は以下のものが与えられている：ＣＡＴＶ入力信号をスルー方向と分岐方向に分配する方向性結合器、方向性結合器のスルー方向の出力のうち所定の周波数の信号を通過させる分波回路、この分波回路の出力を所定の大きさにする回路、その出力を増幅する広帯域増幅器、ＣＡＴＶ信号受信用のアナログ／デジタルチューナ接続用の第１出力端子、ダウンストリーム信号受信用のチューナ接続用の第２出力端子、広帯域増幅器の出力信号を第１、第２出力端子へ分配する第１分配器、方向性結合器の分岐方向の出力からＶＨＦ信号及びＦＭ信号を通過させるフィルタ、フィルタの出力を増幅する増幅器、増幅器の出力を２分配する第２の分配器。
【００１１】
また、他の特徴によると、本発明の分配回路は以下のものが与えられている：ＣＡＴＶ入力端子、ＣＡＴＶ入力端子に入力された信号からＣＡＴＶ信号を通過させる第１の分波回路、第１の分波回路の出力信号を所定の大きさにして出力する利得調整回路、利得調整回路の出力信号を増幅する広帯域増幅器、ＣＡＴＶ受信用のアナログ／デジタルチューナ接続用の第１出力端子、ダウンストリーム信号受信用のチューナ接続用の第２出力端子、広帯域増幅器の出力信号を２分配し、その一方を第１出力端子へ与える第１の分配器、ＶＨＦ信号とＦＭ信号を通過させるフィルタ、第１の分配器の他方の出力信号を分配して第２出力端子とフィルタへ分配する第２の分配器、第３出力端子、第４出力端子、フィルタの出力信号を第３出力端子と第４出力端子へ分配する第３の分配器。
【００１２】
更に、他の特徴によると、本発明の分配回路は以下のものが与えられている：ＣＡＴＶ入力端子、ＣＡＴＶ入力端子に入力された信号からＣＡＴＶ信号を通過させる第１の分波回路、ＣＡＴＶ受信用のアナログ／デジタルチューナ接続用の第１出力端子、ダウンストリーム信号受信用のチューナ接続用の第２出力端子、第１の分波回路の出力を２分配する第１の分配器、第１の分配器の一方の出力信号を利得調整して第２出力端子へ与える第１回路、第１の分配器の他方の出力信号を利得調整する第２回路、ＶＨＦ信号とＦＭ信号を通過させるフィルタ、第２回路の一方の出力信号を２分配して一方を第１出力端子へ与え、他方をフィルタへ与える第２の分配器、第３出力端子、第４出力端子、フィルタの出力信号を第３出力端子と第４出力端子へ分配する第３の分配器。
【００１３】
【発明の実施の形態】
以下、図面とともに本発明の実施形態を説明する。
（実施形態１）
図１は本発明の第１の実施形態のブロック図である。図１において、１はケーブル伝送されてくるＣＡＴＶ信号が入力されるＣＡＴＶ信号入力端子、２はＣＡＴＶ信号入力端子１に入力されたＣＡＴＶ信号をスルー方向と分岐方向（図では矢印で示す）の信号に分岐する分岐器（方向性結合器）である。分岐器は、例えば図７に示すように入力端子７０と第１、第２出力端子７１、７２間にインダクタンスコイルＬ１、Ｌ２、Ｌ３、Ｌ４と抵抗Ｒ１を図示の如く接続して構成されている。
【００１４】
入力端子７０と第１出力端子７１間の損失は−０.５ｄＢであり、小さいが、入力端子７０と第２出力端子７２間の損失は−１０ｄＢと大きい。入力端子７０から第１出力端子７１へ進む信号の方向をスルー方向といい、入力端子７０から第２入力端子７２へ進む信号の方向を分岐方向という。図１に戻って、分岐器２のスルー方向の出力信号はＨＰＦ（High Pass Filter）より成る分波回路（デュプレクサー）３で不要な信号が除去されアナログ／デジタルチューナに供給する信号とダウンストリーム信号を通過させる。
【００１５】
ハイパスフィルタは、例えば図１０のように、入力端子１００と出力端子１０１間にコンデンサＣ１−Ｃ５、インダクタンスコイルＬ５−Ｌ６を図示の如く接続して構成される。分波回路３より導出した信号はＰＩＮアッテネータより成るＡＧＣ回路を構成する可変減衰器８に供給し、信号レベルの調整が行われる。ここで、上記可変減衰器８での減衰量の調整は、該可変減衰器８の制御端子に印加される出力電圧の負帰還信号より成るゲイン制御電圧により行われる。上記可変減衰器の具体例を図１１に示す。１１１はその入力端子、１１２は出力端子である。
【００１６】
Ｃ１１、Ｃ１２は直流阻止用のコンデンサ、Ｄ１、Ｄ２、Ｄ３はピンダイオードであり、制御端子１１３に印加されるＡＧＣ電圧の大きさによってピンダイオードＤ１−Ｄ３のインピーダンスが変わる。図１２（ａ）はピンダイオードＤ１−Ｄ３を取り出して示しており、図１２（ｂ）はその等価回路を示す。制御端子１１３の電圧が高くなると、ダイオードＤ２のインピーダンスＺ２が小さく、ダイオードＤ１、Ｄ３のインピーダンスＺ１、Ｚ３が大きくなるので、信号の減衰が小さくなる。逆に、制御端子１１３の電圧が低くなると、ダイオードＤ２のインピーダンスＺ２が大きく、ダイオードＤ１、Ｄ３のインピーダンスＺ１、Ｚ３が小さくなるので、信号の減衰が大きくなる。
【００１７】
上記可変減衰器８でレベル調整が行われた信号は次段の広帯域増幅器９で増幅し、分配器１５に供給して２信号に分配する。そして、一方の信号はアナログ／デジタルチューナに供給するためＣＡＴＶ信号として出力端子１１に出力し、他方の信号はダウンストリーム信号受信用チューナに供給するためのダウンストリーム信号として出力端子１３に出力する。出力端子１１には、アナログ／デジタルチューナ（図示せず）が接続され、出力端子１３にはダウンストリームチューナ（図示せず）が接続される。
【００１８】
ここで、広帯域増幅器の具体例を図１３に示しておく。同図において、２００はその入力端子、２０１は出力端子である。ＱはＮＰＮ型の増幅トランジスタである。Ｒ２、Ｒ３はトランジスタＱのベースへバイアスを付与するため端子２０２の直流電圧ＶBを分圧する抵抗である。電圧ＶBにはＡＧＣ電圧を重畳してもよい。更に、コンデンサＣ２１−Ｃ２５とインダクタンスコイルＬ２１、Ｌ２２と抵抗Ｒ４、Ｒ５が図示の如く、接続されている。
【００１９】
上記の信号分配回路では、分配器１５の分配ロスによりＣＡＴＶ信号出力端子１１に出力するＣＡＴＶ信号及びデータ出力端子１３に出力されるダウンストリーム信号の減衰が大きいが、分配器１５の前段に設けた広帯域増幅器９により、上記分配器１５による損失を補い、且つ、それによってＮＦ（Noise Figure）の改善を行っている。そのため上記ＣＡＴＶ信号出力端子１１及びデータ出力端子１３の各ポートに出力される信号のＣ／Ｎを改善することができる。
【００２０】
一方、上記広帯域増幅器９を挿入すると、該広帯域増幅器９の許容入力レベルによる制限が生じ、最大許容入力時に歪が発生する。可変減衰器８はこの問題を解決するために設けられたものであり、広帯域増幅器９の入力が許容値を超えないように該広帯域増幅器９の前段で、ＡＧＣ回路として動作する。尚、分配器は例えば図８に示すようにコイルＬ0とその両端間に接続された抵抗Ｒ0とから成る。そのコイルの中点に入力端子８０から信号が与えられ、コイルの両端に接続された出力端子８１、８２に信号が２分配される。この場合、各出力端子８１、８２には信号が１／２の大きさで出力される。
【００２１】
上記のように分配器１５の前段に、該分配器１５による分配ロスを補うため広帯域増幅器９を挿入しているので、従来のデジタルＳＴＢの信号分配回路のようにＣＡＴＶ信号からダウンストリーム信号を分配するための分配器を設けるだけのものに比べて、分岐器（方向性結合器）２のスルー方向のロスを従来−１ｄＢ以内であったものを−２ｄＢ以内にして分岐方向のロスを従来−１０ｄＢであったものを−８ｄＢの分岐器に設計することができるようになり、ＶＨＦ信号出力端子１２及びＦＭ信号出力端子１４に出力するＶＨＦ信号及びＦＭ信号のＮＦを改善することができる。
【００２２】
上記分岐器（方向性結合器）２の分岐方向の出力は、帯域幅が７０〜３００ＭＨｚのバンドパスフィルタ４に供給されて、ここで不要な信号が除去されＶＨＦ信号及びＦＭ信号が次段の広帯域増幅器５、６に供給され増幅される。そして広帯域増幅器５、６で増幅した信号は分配器７に供給し、２分配して一方の信号は出力端子１２へ、また、他方の信号は出力端子１４に出力する。出力端子１２にはＶＨＦチューナ（図示せず）が接続され、出力端子１４にはＦＭチューナ（図示せず）が接続される。
【００２３】
アップストリーム信号入力端子１０には、ＱＰＳＫに変調されたアップストリーム信号が供給され、このアップストリーム信号はＬＰＦ（Low Pass Filter）より成る分波回路（デュプレクサー）１６で不要な信号が除去されて、上記分岐器（方向性結合器）２のスルー方向の出力端子に供給され、該分岐器２を介し、ＣＡＴＶ信号入力端子１よりケーブルを経てＣＡＴＶ局側に伝送される。ローパスフィルタは、例えば図９のように、その入力端子９０と出力端子９１間にコンデンサＣ４１−Ｃ４５とインダクタンスコイルＬ４１、Ｌ４２が図示のように接続された構成となっている。
【００２４】
（実施形態２）
図２は本発明の第２の実施形態のブロック図であり、図１に示す第１の実施形態に対応する部分は同一符号で示す。図２に示す本発明の第２の実施形態が図１に示す本発明の第１の実施形態と相違する点は、図１に示す第１の実施形態の分配器１５を分岐器（方向性結合器）１７に代え、可変減衰器８と広帯域増幅器９を除いたことである。
【００２５】
従って、分波回路３の出力は直接分岐器１７に供給し、該分岐器１７のスルー方向の出力信号はＣＡＴＶ信号用としてＣＡＴＶ信号出力端子１１に、また、分岐器１７の分岐方向の出力信号はダウンストリーム信号用としてデータ出力端子１３に供給する。その他の構成は上記の図１に示す構成と同じである。
【００２６】
上記の構成によりＣＡＴＶ信号入力端子１に入力されるＣＡＴＶ信号は分岐器２に供給し、スルー方向の出力信号を分波回路３に導き、該分波回路３で不要な信号を除去して分岐器１７に供給する。分岐器１７ではそのスルー方向のスルーロスの少ない信号を出力端子１１に出力し、分岐方向の出力信号をダウンストリーム信号として出力端子１３に出力する。その他のＶＨＦ信号やＦＭ信号の分配及びアップストリーム信号の供給及び伝送は図１の場合と同じである。
【００２７】
（実施形態３）
図３は本発明の第３の実施形態のブロック図であり、図２に示す第２の実施形態に対応する部分は同一符号で示す。図３に示す本発明の第３の実施形態が図２に示す本発明の第２の実施形態と相違する点は図２に示す第２の実施形態の分岐器２を分波回路３と分岐器１７間に分岐器１８として設け、バンドパスフィルタ４の代わりＬＰＦ２１を設けたことであり、その他の構成は図２と同じである。
【００２８】
従って、ＣＡＴＶ信号入力端子１に入力される有線で伝送されてきたＣＡＴＶ信号は先ずＨＰＦより成る分波回路３に導き、ここで不要な信号を除去し、その後分岐器１８に供給して、スルー方向の信号と分岐方向の信号に分配する。この場合、スルー方向の損失が少ない側にはＣＡＴＶ信号とダウンストリーム信号が、また分岐方向の損失が大きい側にＶＨＦ信号とＦＭ信号が含まれるように分配する。
【００２９】
上記分岐器１８のスルー方向の出力信号は、更に分岐器１７に供給し、ここでスルー方向の信号と分岐方向の信号に分配する。この場合スルー方向の損失が少ない側の信号はＣＡＴＶ信号としてＣＡＴＶ信号出力端子１１に出力し、分岐方向の損失が大きい側の信号はダウンストリーム信号としてデータ出力端子１３に出力する。上記方向性結合器１８の分岐方向の信号はＬＰＦ２１を介して取り出されるが、この場合分波回路３に用いるＨＰＦとの関係でバンドパスフィルタを通過したものと同様になる。その他のＶＨＦ信号出力端子１２やＦＭ信号出力端子１４への信号の分配及びアップストリーム信号入力端子１０より供給されるアップストリーム信号の伝送は上記第２の実施形態の場合と同様にして行われる。
【００３０】
（実施形態４）
図４は本発明の第４の実施形態のブロック図であり、図１に示す第１の実施形態に対応する部分は同一符号で示す。図４に示す本発明の第４の実施形態が図１に示す第１の実施形態と相違する点は、第１の実施形態の分岐器２を除き、分配器１５の一方の出力を分配器１９で更に分配してダウンストリーム信号とＶＨＦ信号及びＦＭ信号用に分配するものであり、その他の構成は同じである。
【００３１】
従って、ＣＡＴＶ信号入力端子１に入力される有線で伝送されてきたＣＡＴＶ信号は先ずＨＰＦより成る分波回路３で不要な信号が除去された後、第１の実施形態の場合と同様にして可変減衰器８及び広帯域増幅器９を介して分配器１５に供給され２分配される。上記分配器１５で分配された一方の信号はＣＡＴＶ信号用としてＣＡＴＶ信号出力端子１１に出力し、分配器１５で分配された他方の信号は、更に分配器１９で２分配される。この分配器１９で分配された一方の信号はダウンストリーム信号用としてデータ出力端子１３に出力する。
【００３２】
上記分配器１９で分配された他方の信号は図１に示す第１の実施形態の場合と同様にしてバンドパスフィルタ４、広帯域増幅器５及び分配器７を介し、２分配し、一方の信号はＶＨＦ信号用としてＶＨＦ信号出力端子１２に、また他方の信号はＦＭ信号用としてＦＭ信号出力端子１４に出力する。アップストリーム信号入力端子１０より入力するアップストリーム信号はＬＰＦより成る分波回路１６で不要な信号を除去した後ＣＡＴＶ信号入力端子１よりケーブルを介しＣＡＴＶ局に伝送される。
【００３３】
（実施形態５）
図５は本発明の第５の実施形態のブロック図であり、図４に示す第４の実施形態に対応する部分は同一符号で示す。図５に示す本発明の第５の実施形態が図４に示す第４の実施形態と相違する点は、第４の実施形態の分配器１９を分岐器２０にしたことであり、その他の構成は同じである。
【００３４】
従って、分配器１５で２分配された一方の信号は、ＣＡＴＶ信号用としてＣＡＴＶ信号出力端子１１に出力し、他方の信号は分岐器２０に出力する。そして、この分岐器２０によりスルー方向の信号はダウンストリーム信号用としてデータ出力端子１３に供給し、上記分岐器２０の分岐方向の信号はＶＨＦ信号及びＦＭ信号用として図１に示す第１の実施形態の場合と同様に分配され一方の信号はＶＨＦ信号用としてＶＨＦ信号出力端子１２に、また他方の信号はＦＭ信号用としてＦＭ信号出力端子１４に供給される。
【００３５】
（実施形態６）
図６は本発明の第６の実施形態のブロック図であり、図４に示す第４の実施形態に対応する部分は同一符号で示す。第６の実施形態が図４に示す第４の実施形態と相違する点は、第４の実施形態の分配器１９を分波回路３と可変減衰器８との間に設けるとともに分配器１９の一方の出力を可変減衰器３２と広帯域増幅器３３を通してデータ出力端子１３に与えている点である。分配器１９の他方の出力は可変減衰器８と広帯域増幅器９を通して分配器１５に与えている。尚、分配器１５の一方の出力端は直接ＢＰＦ４に接続している。
【００３６】
この構成によると、出力端子１１に導出されるＣＡＴＶ信号と出力端子１３に導出されるデータ信号が、それぞれ別個に大きさを設定できるので便利である。つまり、端子１１と端子１３に接続される各処理回路にとって、ＣＡＴＶ信号は大きく、データ信号は小さいことが必要であるが、ＣＡＴＶ信号とデータ信号はそれぞれ可変減衰器３２と可変減衰器８で互いに異なるレベルに設定できるので、その要求に合致する。
【００３７】
図７〜図１３の回路は第１実施形態に関連して説明したが、これらの図７〜図１３の回路は第２実施形態〜第６実施形態においても適用される。
【００３８】
【発明の効果】
本発明によると、受信したＣＡＴＶ信号は方向性結合器で分岐し、そのスルー方向の信号を分配器でＣＡＴＶ信号とダウンストリーム信号に分配しているが、分配器での分配ロスは可変減衰器と広帯域増幅器等の利得調整回路で歪の発生を防止しながら補償しているのでＮＦが改善されたＣ／Ｎの劣化が少ないＣＡＴＶ信号とダウンストリーム信号を得ることができる。また、上記により方向性結合器のスルー方向のロスをある程度許容できるので分岐方向のロスを減少させることができ、分岐方向の信号より分割するＶＨＦ信号とＦＭ信号のＮＦの劣化を抑制することができる。
【００３９】
また、本発明によると、上記分配器を方向性結合器に置き換えてそのスルー方向の損失が少ない信号をＣＡＴＶ信号として出力し、分岐方向の信号をダウンストリーム信号として取り出しているので減衰が少なく、Ｃ／Ｎの劣化の少ないＣＡＴＶ信号を上記可変減衰器と広帯域増幅器を省略した簡単な構成で得ることができる。この場合、ＶＨＦ信号及びＦＭ信号を分岐する方向性結合器の挿入場所を異なる位置にしても上記の効果に変わりはない。
【００４０】
また、本発明によると、受信したＣＡＴＶ信号を可変減衰器と広帯域増幅器等の利得調整回路で処理した後、第１分配器でＣＡＴＶ信号用とその他の信号に分配し、その他の信号を更に第２分配器でダウンストリーム信号用とＶＨＦ及びＦＭ用にに分配しているので、方向性結合器が不要としながら、各分配信号をそれぞれ所望の大きさで出力することができる。
【００４１】
また、本発明によると、受信したＣＡＴＶ信号を第１の分配器で分配した後に各分配信号を可変減衰器と広帯域増幅器で独立に利得調整してＣＡＴＶ信号用とその他の信号とし、その他の信号を第２分配器でダウンストリーム信号用とＶＨＦ及びＦＭ用にに分配しているので、方向性結合器を不要としながら、各分配信号をそれぞれ所望の大きさで出力することができる。
【図面の簡単な説明】
【図１】  本発明の第１の実施形態のブロック図である。
【図２】  本発明の第２の実施形態のブロック図である。
【図３】  本発明の第３の実施形態のブロック図である。
【図４】  本発明の第４の実施形態のブロック図である。
【図５】  本発明の第５の実施形態のブロック図である。
【図６】  本発明の第６の実施形態のブロック図である。
【図７】  第１、第２、第３、第５の実施形態で用いられる分岐器の回路構成図である。
【図８】  各実施形態で用いられる分配器の回路構成図である。
【図９】  各実施形態で用いられるローパスフィルタの回路構成図である。
【図１０】  各実施形態で用いられるハイパスフィルタの回路構成図である。
【図１１】  第１、第４、第５、第６の実施形態で用いられる可変減衰器の回路構成図である。
【図１２】  各実施形態で用いられる図１１の一部を取り出して示す回路構成図である。
【図１３】  各実施形態で用いられる広帯域増幅器の回路構成図である。
【図１４】  従来例のブロック図である。
【符号の説明】
１…ＣＡＴＶ信号入力端子
２、１７、１８、２０…分岐器（方向性結合器）
３、１６…分波回路（デュプレクサー）
４…ＢＰＦ
５、６、９…広帯域増幅器
７、１５、１９…分配器
８…可変減衰器
１０…アップストリーム信号入力端子
１１…ＣＡＴＶ信号出力端子
１２…ＶＨＦ信号出力端子
１３…データ出力端子
１４…ＦＭ信号出力端子
【図１】
0003734405.tif 000002
【図２】
0003734405.tif 000003
【図３】
0003734405.tif 000004
【図４】
0003734405.tif 000005
【図５】
0003734405.tif 000006
【図６】
0003734405.tif 000007
【図７】
0003734405.tif 000008
【図８】
0003734405.tif 000009
【図９】
0003734405.tif 000010
【図１０】
0003734405.tif 000011
【図１１】
0003734405.tif 000012
【図１２】
0003734405.tif 000013
【図１３】
0003734405.tif 000014
【図１４】
0003734405.tif 000015